(57)【要約】【課題】  動画撮影機能の選択から動画撮影の開始までの待ち時間を短縮し、利便性を向上させる。【解決手段】  ユーザにより動画撮影モードが選択されると、第１の制御チップ５０は、ムービ起動準備を第２の制御チップ７０に指示するとともに、モデム／無線制御部５１に対して電波オフ要求を行う。第２の制御チップ７０では、動画モード状態とし、撮影部７１を動画取り込み状態して撮影部７１からの映像のスルー表示を開始する。この第２の制御チップ７０による撮像された映像をスルー表示するための準備処理を実行している間に、モデム／無線制御部５１の通信機能をオフにする。【選択図】  図３
2006086850.tif 000002
【特許請求の範囲】
【請求項１】
外部と無線により通信を行う通信手段と、
撮影手段と、
動画撮影モードの開始を指示する指示手段と、
この指示手段により動画撮影モードの指示が開始されると、前記撮影手段の動画撮影の準備処理を実行すると同時に、前記通信手段による通信処理を停止させるための処理を行う制御手段と
を具備することを特徴とする撮影機能を備えた無線通信端末。
【請求項２】
前記動画撮影モードにて取得された動画をスルー表示する表示手段と、
前記撮影手段が準備処理を行っている旨を前記表示手段に表示させる表示制御手段と
を更に具備することを特徴とする請求項１に記載の撮影機能を備えた無線通信端末。
【請求項３】
前記制御手段は、前記通信手段による通信処理を制御する第１の制御手段と、前記撮影手段による撮影処理を制御する第２の制御手段とを含み、該第１の制御手段と該第２の制御手段とが平行して処理するよう制御することを特徴とする請求項１または２に記載の撮影機能を備えた無線通信端末。
【請求項４】
前記第２の制御手段による処理が終了するまで、前記第１の制御手段による割り込み処理を禁止する禁止手段を更に具備することを特徴とする請求項３に記載の撮影機能を備えた無線通信端末。
【請求項５】
少なくとも、無線により通信を行う通信部と動画を撮影する撮影部とを有する電子機器の動作制御方法であって、
動画撮影モードの開始を指示する指示ステップと、
この指示ステップにて動画撮影モードの指示が開始されると、前記撮影部の動画撮影の準備処理を実行すると同時に、前記通信部による通信処理を停止させる停止ステップと
からなることを特徴とする動作制御方法。
【請求項６】
前記撮影部が準備処理を行っている旨を表示させる表示ステップを更に含むことを特徴とする請求項５に記載の動作制御方法。
【発明の詳細な説明】
【技術分野】
【０００１】
本発明は、撮影機能を備えた無線通信端末、および、動作制御方法に関し、詳細には動画撮影機能を備えた携帯電話等に適用される動画撮影装置および動作制御方法に関する。
【背景技術】
【０００２】
従来、動画撮影機能付き携帯電話として、開閉可能な表示部を備え、動画撮影時には、表示部を開いて撮影し、動画撮影中に音声着信を受信すると、着信を通知し、所定の操作（折り畳み式表示部の閉じる操作）を検知すると、撮影モードを解除して音声通話処理へ移行するものが知られている（例えば特許文献１参照）。
【０００３】
【特許文献１】特開２０００−９２３６０号公報
【発明の開示】
【発明が解決しようとする課題】
【０００４】
しかしながら、実際には、着信が通知されても、すぐに撮影を終了（所定の操作）することは稀であり、切りのいいところまで撮影した後、所定の操作を行って通話へ移行してしまう。このため、通話に移行する前に、発信者側が電話を切ってしまったり、留守番電話へ移行してしまったりと、利便性が悪いという問題がある。つまり、実際には、動画撮影中には、音声着信に対応すること事態が難しい。そこで、動画撮影動作中は、無線通信部の着信機能をオフとすることが考えられる。しかしながら、動画撮影が選択された際に、無線通信部の受信機能をオフとし、動作撮影動作へ移行し、撮像部からの画像を表示部にスルー表示してスタンバイ状態になるまでの時間、すなわち動画撮影機能の選択から動画撮影の開始までの待ち時間が生じることになる。このため、ユーザを待たせることになり、やはり利便性が悪いという問題がある。
【０００５】
そこで本発明は、動画撮影機能の選択から動画撮影の開始までの待ち時間を短縮することができ、利便性を向上させることができる撮影機能を備えた無線通信端末および動作制御方法を提供することを目的とする。
【課題を解決するための手段】
【０００６】
上記目的達成のため、請求項１記載の発明による撮影機能を備えた無線通信端末は、外部と無線により通信を行う通信手段と、撮影手段と、動画撮影モードの開始を指示する指示手段と、この指示手段により動画撮影モードの指示が開始されると、前記撮影手段の動画撮影の準備処理を実行すると同時に、前記通信手段による通信処理を停止させるための処理を行う制御手段とを具備することを特徴とする。
【０００７】
また、好ましい態様として、例えば請求項２記載のように、請求項１に記載の撮影機能を備えた無線通信端末において、前記動画撮影モードにて取得された動画をスルー表示する表示手段と、前記撮影手段が準備処理を行っている旨を前記表示手段に表示させる表示制御手段とを更に具備するようにしてもよい。
【０００８】
また、好ましい態様として、例えば請求項３記載のように、請求項１または２に記載の撮影機能を備えた無線通信端末において、前記制御手段は、前記通信手段による通信処理を制御する第１の制御手段と、前記撮影手段による撮影処理を制御する第２の制御手段とを含み、該第１の制御手段と該第２の制御手段とが平行して処理するよう制御するようにしてもよい。
【０００９】
また、好ましい態様として、例えば請求項４記載のように、請求項３に記載の撮影機能を備えた無線通信端末において、前記第２の制御手段による処理が終了するまで、前記第１の制御手段による割り込み処理を禁止する禁止手段を更に具備するようにしてもよい。
【００１０】
また、上記目的達成のため、請求項５記載の発明による動作制御方法は、少なくとも、無線により通信を行う通信部と動画を撮影する撮影部とを有する電子機器の動作制御方法であって、動画撮影モードの開始を指示する指示ステップと、この指示ステップにて動画撮影モードの指示が開始されると、前記撮影部の動画撮影の準備処理を実行すると同時に、前記通信部による通信処理を停止させる停止ステップとからなることを特徴とする。
【００１１】
また、好ましい態様として、例えば請求項６記載のように、請求項５記載の動作制御方法において、前記撮影部が準備処理を行っている旨を表示させる表示ステップを更に含むようにしてもよい。
【発明の効果】
【００１２】
請求項１記載の発明によれば、指示手段により動画撮影モードの指示が開始されると、制御手段により、前記撮影手段の動画撮影の準備処理を実行すると同時に、前記通信手段による通信処理を停止させるための処理を行うようにしたので、動画撮影機能の選択から動画撮影の開始までの待ち時間を短縮することができ、かつ撮影中の着信を防止することができるので、利便性を向上させることができるという利点が得られる。
【００１３】
また、請求項２記載の発明によれば、表示制御手段により、前記撮影手段が準備処理を行っている旨を、前記動画撮影モードにて取得された動画をスルー表示する表示手段に表示させるようにしたので、準備処理中であることを容易に認識することができ、さらに利便性を向上させることができるという利点が得られる。
【００１４】
また、請求項３記載の発明によれば、前記制御手段により、前記通信手段による通信処理を制御する第１の制御手段と前記撮影手段による撮影処理を制御する第２の制御手段とが平行して処理するよう制御するようにしたので、動画撮影機能の選択から動画撮影の開始までの待ち時間を短縮することができ、利便性を向上させることができるという利点が得られる。
【００１５】
また、請求項４記載の発明によれば、禁止手段により、前記第２の制御手段による処理が終了するまで、前記第１の制御手段による割り込み処理を禁止するようにしたので、動画撮影機能の選択から動画撮影の開始までの待ち時間を短縮することができ、かつ撮影中の着信を防止することができるので、さらに利便性を向上させることができるという利点が得られる。
【００１６】
また、請求項５記載の発明によれば、指示ステップで、動画撮影モードの開始が指示されると、停止ステップで、前記撮影部の動画撮影の準備処理を実行すると同時に、前記通信部による通信処理を停止させるようにしたので、動画撮影機能の選択から動画撮影の開始までの待ち時間を短縮することができ、かつ撮影中の着信を防止することができるので、利便性を向上させることができるという利点が得られる。
【００１７】
また、請求項６記載の発明によれば、表示ステップで、前記撮影部が準備処理を行っている旨を表示させるようにしたので、準備処理中であることを容易に認識することができ、さらに利便性を向上させることができるという利点が得られる。
【発明を実施するための最良の形態】
【００１８】
以下、本発明の実施の形態を、図面を参照して説明する。
Ａ．実施形態の構成
図１は、本発明の実施形態に係る携帯電話１の蓋を開いた状態と閉じた状態の正面図に相当する外観図である。図１（ａ）は、携帯電話１の蓋を開いた状態を示し、図１（ｂ）は、携帯電話１の蓋を閉じた状態（蓋側）を示し、図１（ｃ）は、携帯電話１の蓋を閉じた状態（裏面側）を示している。
【００１９】
図示のように、蓋部２は、本体部３に対し第１ヒンジ部１００を回転軸として開閉可能（矢印α）に配置されているほか、第２ヒンジ部１２を回転軸として回転可能（矢印β）になっている。蓋部２は、第１スピーカ５、表示部６、データ通信用の内蔵アンテナ（図示略）を内蔵している。第１スピーカ５は、ダイナミックスピーカであり、蓋部２の内面に配置されている。表示部６は、蓋部２の内面に配置され、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。
【００２０】
第１ヒンジ部１００は、蓋部２に連繋されて該蓋部２と一体的に回転する可動部１０１と、本体部３側に固定されるとともに可動部１０１の両側に設けられた左右一対の固定部１０２、１０３とで構成されている。
【００２１】
本体部３は、キー入力部８とマイク１０とを備える。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービーモードを起動させるためのムービーキー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。また、本体部の背面には、撮影するための撮像レンズ１７、および着信音などを鳴動するためのスピーカ７Ｒ、７Ｌが配置されている。
【００２２】
また、図２は、蓋を閉じた状態における携帯電話１の正面、および各側面を示す外観図である。図２（ａ）は、携帯電話１の蓋を閉じた状態（蓋側）を示し、図２（ｂ）は、同図（ａ）のＣ方向から見た側面を示し、図２（ｃ）は、同図（ａ）のＢ方向から見た側面を示し、図２（ｄ）は、同図（ａ）のＣ方向から見た側面を示し、図２（ｄ）は、同図（ａ）のＤ方向から見た側面を示している。
【００２３】
本体部３は、その一方の側部に、第１サイドキー９０、第２サイドキー９１、シャッターキー９２を備える。第１サイドキー９０は、待受け状態でマナーキーとして機能する。第２サイドキー９１は、メモキーとして機能する。シャッターキー９２は、蓋部２を閉じた状態でのカメラモードでシャッターキーとして機能する。また、本体部３は、その他方の側部に、クレイドル用コネクタ３２、メモリカードスロット（カバー）３３を備える。クレイドル用コネクタ３２は、携帯電話を横向きにクレイドル、すなわち充電台を兼ねた設置台に設置した際に、設置台からの電力で図示しないバッテリを充電するためのものである。メモリカードスロット３３には、ＳＤカードなどの記録媒体が装着される。
【００２４】
図３は、本実施形態による携帯電話１のハードウェアから見た構成を示す回路図である。図において、第１の制御チップ５０は、モデム／無線制御部５１、ＣＰＵ５２、ユーザインターフェース部５３、表示制御部５４、記憶部５５、電源５６、カメラ制御インターフェース部５７からなる。モデム／無線制御部５１は、アンテナ４０を介して送受信される信号を処理する。ＣＰＵ５２は、後述する記憶部５５のプログラムメモリ５５２にしたがって第１の制御チップ５０を制御するが、主としてモデム／無線制御部５１の処理を制御する。
【００２５】
ユーザインターフェース部５３は、図１、図２に示されるキー入力部８、第１サイドキー９０、第２サイドキー９１、シャッターキーを含み、また、これらのキー入力部からのキーイベントを処理するスイッチ処理や、外部の回路部とのデータ処理を行うインターフェース処理を行う。表示制御部５４は、表示部６を含み、この表示部を駆動させるドライバ、ＶＲＡＭ等のメモリを内包する。記憶部５５は、データ通信処理や、音声通信において必要とされる各種データ例えば、電話番号、メールアドレス、住所などからなるアドレス帳データ、メール通信により送受信されるメールデータ、メールに添付された画像（静止画、動画）、カメラモードにより撮影された画像（静止画、動画）、ネットワーク接続により受信したマルチメディアファイル（イラスト、静止画、動画、音声など）などを記憶するＲＡＭ５５１と、ムービ再生モード、カメラモード等の各処理プログラムを格納するプログラムメモリ５５２とからなる。カメラ制御インターフェース部５７は、第２の制御チップ７０との間で、（動画）撮影に係る各種コマンドや画像データ等を送受信する。  上記第１の制御チップ５０は、モデム制御タスク、ＵＩタスクムービアプリケーション、動画制御タスク、および画面表示制御タスクを実行・制御する。第２の制御チップ７０は、ＡＳＩＣ  “Ａｐｐｌｉｃａｔｉｏｎ  Ｓｐｅｃｉｆｉｃ  Ｉｎｔｅｒｇｒａｔｅｄ  Ｃｉｒｃｕｉｔ”等で構成され、上記第１の制御チップ５０からの指示に従って、動画撮影動作を制御する。これらの動作については以下で詳細に説明する。
【００２６】
Ｂ．実施形態の動作
次に、上述した実施形態の動作について説明する。ここで、図４および図５は、携帯電話１の動作を説明するためのタイミングチャートである。まず、電源オン状態で、ユーザーによるムービーキー８５の操作を検出すると、ユーザインターフェース部５３がこれを判断して動画撮影モードに移行する。これにより、第１の制御チップ５０におけるモデム制御タスクにより、電波オン中となっている状態で（ステップＳ１０）、第２の制御チップ７０により、撮影機能がオン状態となる（ステップＳ１２）。
【００２７】
ステップＳ１２において動画撮影モードが指示されると、ムービモニタ画面表示が開始される。この時、第１の制御チップ５０において、まず、ＵＩタスクムービアプリケーションから動画制御タスクに対してムービ起動準備が指示される（ステップＳ１４）。また、ＵＩタスクムービアプリケーションでは、割込み防止フラグを電源オフ開始要求中とし（ステップＳ１６）、モデム制御タスクに対して電波オフ要求を供給する（ステップＳ１８）。これを受けて、モデム制御タスクでは、モデム／無線制御部５１に対して電波オフ要求中とする（ステップＳ２０）。また、ＵＩタスクムービアプリケーションでは、ワークメモリ確保等、撮影される動画の取り込み準備処理となる（ステップＳ２２）。
【００２８】
一方、ＵＩタスクムービアプリケーションからのムービ起動準備指示は、動画制御タスクを介して画面表示制御タスクに供給され（ステップＳ２４）、開始準備指示として第２の制御チップ７０に供給される（ステップＳ２６）。これを受けて、第２の制御チップ７０では、動画撮影の準備段階であるアイドル状態となる（ステップＳ２８）。
【００２９】
画面表示制御タスクでは、開始準備指示後、遷移要求表示準備処理となり（ステップＳ３０）、その旨を動画制御タスクに通知する（ステップＳ３２）。動画制御タスクでは、遷移要求表示準備の通知を受けると、モード遷移を第２の制御チップ７０に要求する（ステップＳ３４）。第２の制御チップ７０では、モード遷移の要求に応じて、動画モード状態とし（ステップＳ３６）、その旨を動画制御タスクに通知する（ステップＳ３８）。動画制御タスクでは、動画モード状態の通知を受けると、取り込み開始等を第２の制御チップ７０に要求する（ステップＳ４０）。第２の制御チップ７０では、取り込み開始等の要求に応じて、撮影部７１を動画取り込み状態とする（ステップＳ４２）。この時点で、ＵＩタスクムービアプリケーションから画面表示制御タスクに対してモニタ画面表示の開始が指示される（ステップＳ４４）。
【００３０】
第２の制御チップ７０では、動画取り込み状態となると、動画取り込み状態になった旨を動画制御タスクに通知する（ステップＳ４６）。動画制御タスクでは、これを受けて、プレビュー開始完了を画面表示タスクに通知する（ステップＳ４８）。画面表示制御タスクでは、プレビュー開始完了の通知に応じて、表示バッファの確保等を行い（ステップＳ５０）、第２の制御チップに表示バッファ領域を通知し（Ｓ５２）、モニタスルー表示の開始を指示する（ステップＳ５４）。
【００３１】
一方、モデム制御タスクでは、電波オフ要求に対して、ＡＣＫ（確認信号）をＵＩタスクムービアプリケーションに通知する（ステップＳ５６）。この時点で、モデム／無線制御部５１では電波オフ中状態となり、音声着信が無効となる。ＵＩタスクムービアプリケーションでは、ＡＣＫ（確認信号）を受け、割込み防止フラグを電源オフ中とする（ステップＳ６０）。すなわち、動画撮影のためのスルーモニタ表示を開始した時点から動画撮影終了までの期間、着信割込みの防止状態とする。該着信割込み防止状態は、ＧＰＳ測位（図示略）やＥメール添付機能など、通信を行う機能をモニタサブメニューから選択した場合、割込み防止機能を解除する。この後、同機能を終了してモニタ画面に戻るとき、再度割込み防止状態とする。
【００３２】
上述した実施形態によれば、ユーザに意識させずに、第１の制御チップ５０におけるモデム／無線制御部５１による受信機能をオフとする動作と、第２の制御チップ７０における撮像部７１からの画像を表示部にスルー表示してスタンバイ状態とする動作とを並行に行うことにより、動画撮影機能の選択から動画撮影の開始までの期間、すなわち待ち時間を短縮することができ、利便性を向上させることができる。
【図面の簡単な説明】
【００３３】
【図１】本発明の実施形態に係る携帯電話１の蓋を開いた状態と閉じた状態の正面図に相当する外観図である。
【図２】本実施形態に係る携帯電話１の蓋を閉じた状態における携帯電話１の正面、および各側面を示す外観図である。
【図３】本実施形態による携帯電話１のハードウェアから見た構成を示す回路図である。
【図４】本実施形態に係る携帯電話１の動作を説明するためのタイミングチャートである。
【図５】本実施形態に係る携帯電話１の動作を説明するためのタイミングチャートである。
【符号の説明】
【００３４】
１  携帯電話
２  蓋部
３  本体部
６  表示部（表示手段）
８  キー入力部
１７  撮像レンズ（撮影手段）
４０  アンテナ（通信手段）
５０  第１の制御チップ（制御手段、第１の制御手段）
５１  モデム／無線制御部（通信手段）
５２  ＣＰＵ（制御手段、禁止手段）
５３  ユーザインターフェース部（指示手段）
５４  表示制御部（表示制御手段）
５５  記憶部
５６  電源
５７  カメラ制御インターフェース部
７０  第２の制御チップ（制御手段、第２の制御手段）
７１  撮影部（撮影手段）
６１  表示ドライバ
６２  表示バッファ
８５  ムービーキー（指示手段）
９２  シャッターキー
【図１】
2006086850.tif 000003
【図２】
2006086850.tif 000004
【図３】
2006086850.tif 000005
【図４】
2006086850.tif 000006
【図５】
2006086850.tif 000007